(57)【要約】      （修正有）【課題】本考案の目的は数字及び記号の記入及び消去が繰り返し可能である文字、絵等記載面に、中央部にＮ、Ｓ、Ｅ、Ｗの文字に対応して区切られたエリアに複数の桝目を裏印刷して区切られたエリアに複数の桝目を設け、該桝目にビッドの内容及びビッドしない旨を記入するための桝目を印刷したことを特徴とするビディングシートを提供する。【解決手段】本考案に係るビディングボードは透明又は半透明なプラスチックシート１を、中央部にＮ、Ｓ、Ｅ、Ｗの文字に対応して区切られたエリアに複数の桝目を裏印刷して、該ビディングシートの表面の桝目に書き込んだ数字及び図形記号の消去が繰り返し可能な文字等の消去装置を搭載してなることを特徴とする。【選択図】図１
0003106899.tif 000002
【実用新案登録請求の範囲】
【請求項１】
透明又は半透明なプラスチックシートは、中央部にＮ、Ｓ、Ｅ、Ｗの文字に対応して区切られたエリアに複数の桝目を裏印刷して区切られたエリアに複数の桝目を裏印刷してなるビディングシートであって、該ビディングシートの表面の桝目に書き込んだ数字及び図形記号の消去が繰り返し可能な文字等の消去装置に搭載してなることを特徴とするブリッジ用ビディングボード。
【考案の詳細な説明】
【技術分野】
【０００１】
本考案はブリッジゲームに使用する文字記入板、特にマグネット形式で文字の記入及び消去が繰り返し可能である文字記入板に関する。
【背景技術】
【０００２】
ブリッジゲームとはは４人で行うトランプ遊びの一種であり、特にコントラクト・ブリッジは、世界に普及しており、日本においても連盟があり、教室や大会も開催されている。コントラクト・ブリッジ・ゲームに用いるトランプ札はスペード、ハート、ダイアモンド、クラブの４つの図柄（以下スーツとする）があり、各スーツごとにＡ（エース）、Ｋ（キング）、Ｑ（クィーン）、Ｊ（ジャック）、１０、９、８、７、６、５、４、３、２が記されたカードとジョーカーと呼ばれるカードがある、一般的なトランプ札を用いる。コントラクト・ブリッジを行う場合、ジョーカーを除いた計５２枚のトランプ札（以下カードとする）を用い、各スーツの１３枚の強さはＡが最も強く、以下Ｋ、Ｑ、Ｊ、１０、９、８、７、６、５、４、３、２の順に弱くなると決められている。コントラクト・ブリッジの勝負を始める前に、ゲームを行う４人（以下プレイヤーとする）の座る位置（Ｎ、Ｓ、Ｅ、Ｗ）の決定、カードを混ぜる、カードを配る役目をする人（以下ディーラーとする）を決める、カードを配る、等を行い、その後「オークション」を行う。コントラクトブリッジでは、カードを一枚ずつ時計回りの順番に出し、計４枚出して１プレイとする。カードは初めに出されたものと同じスーツのカード（トランプと呼ばれる）を出さなければならないという決まりがある。４人が一枚づつカードを出し（この４枚一組をトリックという）、決められたスーツの中で一番強いカードを出した人がこのトリックを獲得する。これを１３回繰り返す。プレイを行う前に、「オークション」を行う。オークションとは、プレイヤーがトランプは何にするか、それともトランプ無しにするか、及び向かいに座ったプレイヤーと合わせてトリックを何組取るかを宣言（以下ビッドとする）する、あるいはビッドしない旨を伝え（ビッドと合わせてコールと呼ぶ。以下、コールとする）、最も高いトランプの指定（トランプ無し、スペード、ハート、ダイヤの順に低くなる）及びトリック獲得数をビッドしたプレイヤー（以下、ディクレアラーとする）を選ぶことである。プレイはこのディクレアラーのビッドしたトランプ、もしくはトランプ無しのビッドに従って行う。
【０００３】
オークションにおいて、ビッドの内容及びビッドしない旨を記入するために用いる記録用紙がビディングシートである。コントラクトブリッジの大会、教室、いわゆるデュプリケートブリッジの会場においては声に出すと周囲の別テーブルで行われるプレイに差し支える等、不都合が生じるため、コールを声に出して行う代わりにビディングシートに記入する。また、コールのみであるとプレイヤーが後に忘れたりして混乱を来たす可能性があるため、コントラクトブリッジ以外でもビディングシートが用いられることがある。
【０００４】
従来、ビディングシートは該ビディングシートは一般的にＡ４サイズの紙一枚に６部印刷されているものが用いられ、オークションが６回終了すると新しい紙と交換するのが通常であった。
【０００５】
しかしながら、コントラクトブリッジにおいてオークションは１プレイ前ごとに行われるため、ビディングシートはオークションが６回行われた後、新しいものに交換する必要がある。しかもコントラクトブリッジは１プレイが短く、最低１３回のプレイをおこなうため、度々新しいビディングシートを用意しなければならない。従ってビディングシートの交換は面倒な上、余計な時間・手間を要し、プレイのスムーズな進行の妨げとなる。さらにビディングシートはオークションが終わり次第不要となるため、紙資源の無駄ともなる。
【考案の開示】
【考案が解決しようとする課題】
【０００６】
上記問題点を解決するため、本考案では数字及び記号の記入及び消去が繰り返し可能である文字、絵等記載面に、中央部にＮ、Ｓ、Ｅ、Ｗの文字に対応して区切られたエリアに複数の桝目を裏印刷して区切られたエリアに複数の桝目を設け、該桝目にビッドの内容及びビッドしない旨を記入するための桝目を印刷したことを特徴とするビディングシート提供する。
【課題を解決するための手段】
【０００７】
上記問題点を解決するため、本考案では上記問題点を解決するため、本考案では透明又は半透明なプラスチックシートは、中央部にＮ、Ｓ、Ｅ、Ｗの文字に対応して区切られたエリアに複数の桝目を裏印刷して区切られたエリアに複数の桝目を裏印刷してなるビディングシートであって、該ビディングシートの表面の桝目に書き込んだ数字及び図形記号の消去が繰り返し可能な文字等の消去装置に搭載してなることを特徴とし、１プレイのオークションごとにビディングシートを交換する手間を省くことが可能になり、ビディングシートを大量に処分することもなくなるブリッジ用ビディングボードを提供する。
【考案の効果】
【０００８】
本考案のビディングボードを用いることで、１プレイの短いコントラクトブリッジにおいて、プレイ前のオークションで頻繁ににビディングシートを交換する面倒さが無く、手間を省くことが可能になり、時間の短縮に繋がる。また、繰り返し数字及び図形記号の記入、消去が可能であるため、使用済みのビディングシートを大量に処分することもなくなり、紙資源の節約にも繋がる。
【考案を実施するための最良の形態】
【０００９】
本考案を図に基づいて説明する。図１は本考案のビディングボードの一例を示す平面図である。図２は本考案のビディングボードの一例において、中央部にＮ、Ｓ、Ｅ、Ｗの文字に対応して区切られたエリアに複数の桝目を裏印刷して区切られたエリアに複数の桝目を裏印刷した透明又は半透明なプラスチックシートの一例を文字記載面に貼付していない状態を示す平面図である。図３は本考案のビディングボードの一例において、中央部にＮ、Ｓ、Ｅ、Ｗの文字に対応して区切られたエリアに複数の桝目を裏印刷して区切られたエリアに複数の桝目を裏印刷した透明又は半透明なプラスチックシートの一例である。図４は本考案のビディングボードの一例において図形記号記載面に文字を記載するペンの平面図である。
図５は本考案のビディングボードの一例を示す側面図である。
【００１０】
図１において、１は中央部にＮ、Ｓ、Ｅ、Ｗの各文字１ｂに対応して区切られたエリアに複数の桝目１ｃを裏印刷して区切られたエリアに複数の桝目を裏印刷した透明又は半透明なプラスチックシートである。該中央部にＮ、Ｓ、Ｅ、Ｗの各文字１ｂに対応して区切られたエリアに複数の桝目を裏印刷して区切られたエリアに複数の桝目１ｃを裏印刷した透明又は半透明なプラスチックシート１は、繰り返し数字及び図形記号の記載及び消去等の磨耗に耐えるように、フィルムシートの逆転した状態で印刷し、文字記載面６に貼り付ける。また、中央部にＮ、Ｓ、Ｅ、Ｗの各文字１ｂに対応して区切られたエリアに複数の桝目１ｃを裏印刷して区切られたエリアに複数の桝目を裏印刷した透明又は半透明なプラスチックシート１は、繰り返し数字及び図形記号の記載及び消去等による磨耗に耐えるように、記載の際に力を入れるとよれたりせず、ある程度たわみを有するプラスチックシートを用いる。
【００１１】
手書きボード６は、例えば図２に示すようなマグネット式の手書きボード６を用いる。該手書きボード６は、文字・絵等記載面１ａを有し、該文字・絵等記載面１ａは表面が透明シート、中間層に磁性を有する微粉が飛散しないための細かい格子状の網を設けたシート及び磁性を有する微粉が通れる大きさの微孔を有する白いシート、磁性を有する微粉、及び磁性を有する微粉を抑えるためのシートから成る。また手書きボード６の内部には板状の磁性体が内臓されており、記載事項消去レバー２を押すと、該文字・絵等記載面１ａの表面に文字や絵の形状となって集まった磁性を有する微粉が微粉が通れる大きさの微孔を有する白いシートの裏面に吸着され、文字が消える構造となっている。ペン５は、例えばペン先に磁性を有するマグネットペンを用い、該文字・絵等記載面１ａの表面をなぞり磁性を有する微粉を引き付けて絵等記載面１ａの表面に文字・絵等として描くことが出来る。
【００１２】
上記構造の手書きボード６に限らず、上記と同様に磁性を有する微粉の性質を利用し、文字・絵等の記載、消去の可能な手書きボード６であれば何でも利用することが可能である。
【００１３】
また、上記の磁性を有する微粉の性質を利用し、文字・絵等の記載、消去の可能な手書きボード６以外の原理で文字・絵等の記載、消去の可能な手書きボード６を利用しても良い。一例として、次のような手書きボード６もある。書込み面１が蛍光色のビニールシート等で構成されており、書込み面１の下にビニールシート等の吸着・脱離が可能であり、ある程度硬度を有する素材で出来た板を設ける。書込み面１上からペン５で連続的に圧力をかけることで書込み面１の蛍光色ビニールシートと書込み面書込み面１の下に設けられた板が吸着し、圧力をかけた部分のみ色が変化することで文字、絵等を描くことができる。
描かれた文字、絵等は書込み面１と書込み面１の下に設けられた板の間に設けられたバーをスライドし、書込み面１と書込み面１の下に設けられた板を剥離することで文字、絵等の消去が可能である
【００１４】
以上の構造を有する手書きボード６に限らず、文字、絵等の繰り返し記入及び消去が可能な手書きボード６であれば本考案への利用が可能である。
【図面の簡単な説明】
【００１５】
【図１】本考案のビディングボードの一例を示す平面図である。
【図２】本考案のビディングボードの一例において、中央部にＮ、Ｓ、Ｅ、Ｗの文字に対応して区切られたエリアに複数の桝目を裏印刷して区切られたエリアに複数の桝目を裏印刷した透明又は半透明なプラスチックシートの一例を文字記載面に貼付していない状態を示す平面図である。
【図３】本考案のビディングボードの一例において、中央部にＮ、Ｓ、Ｅ、Ｗの文字に対応して区切られたエリアに複数の桝目を裏印刷して区切られたエリアに複数の桝目を裏印刷した透明又は半透明なプラスチックシートの一例である。
【図４】本考案のビディングボードの一例において文字記載面に文字を記載するペンの平面図である。
【図５】本考案のビディングボードの一例を示す側面図である。
【符号の説明】
【００１６】
１  中央部にＮ、Ｓ、Ｅ、Ｗの文字に対応して区切られたエリアに複数の桝目を裏印刷して区切られたエリアに複数の桝目を裏印刷した透明又は半透明なプラスチックシート
１ａ  文字、絵等記載面
１ｂ  各文字
１ｃ  各文字に対応する文字記載用の桝目
２  記載事項消去レバー
３  ペン立て
４  ペン収容穴
５  ペン
６  手書きボード
【図１】
0003106899.tif 000003
【図２】
0003106899.tif 000004
【図３】
0003106899.tif 000005
【図４】
0003106899.tif 000006
【図５】
0003106899.tif 000007